(57)【要約】【課題】筆記状態から摩擦体を用いた安定した摩擦操作を迅速に開始でき、且つ、摩擦操作後にペン先出没操作を迅速に開始できる熱変色性筆記具を提供する。【解決手段】軸筒２の後端部外面に可動係合片７が枢支される。可動係合片７の一端部に、ノック部材６の外面の被係合部６３・６４に係合可能な係合部７１が形成される。可動係合片７の他端部に、可動係合片７を径方向外方に付勢する弾発付与部７２が設けられ、且つ、可動係合片７を径方向内方に押圧操作する押圧操作部７３が設けられる。弾発付与部７２により可動係合片７の係合部７１が径方向内方に付勢され、ノック部材６を前方に押圧操作するとき以外は、係合部７１と被係合部６３・６４とが係合され、ノック部材６の前後方向の移動が阻止される。ノック部材６を前方に押圧操作するときのみ、押圧操作部７３を径方向内方に押圧することにより、係合部７１と被係合部６３・６４との係合が解除される。【選択図】  図６
2018108668.tif 000002
【特許請求の範囲】
【請求項１】
筆記体の内部に熱変色性インキを収容し、前記筆記体の前端に前記熱変色性インキが吐出可能なペン先を設け、前記筆記体を軸筒内に前後方向に移動可能に収容し、前記軸筒の後端部にノック部材を設け、前記ノック部材を前方に押圧することによりペン先を軸筒の前端孔から突出状態にし、再度、前記ノック部材を前方に押圧することにより前記ペン先突出状態を解除しペン先を軸筒の前端孔より軸筒内に没入状態にする出没機構を備え、前記ノック部材の後端部外面に、前記熱変色性インキの筆跡を摩擦しその際に生じる摩擦熱で前記熱変色性インキの筆跡を熱変色可能な摩擦部を設けた熱変色性筆記具であって、
前記軸筒の後端部外面に可動係合片が枢支され、
前記可動係合片の一端部に、前記ノック部材の外面の被係合部に係合可能な係合部が形成され、
前記可動係合片の他端部に、可動係合片を径方向外方に付勢する弾発付与部が設けられるとともに、前記可動係合片を径方向内方に押圧操作する押圧操作部が設けられ、
前記弾発付与部により前記可動係合片の係合部が径方向内方に付勢され、
前記ノック部材を前方に押圧操作するとき以外は、前記可動係合片の係合部と前記ノック部材の外面の被係合部とが係合され、前記ノック部材の前後方向の移動が阻止され、
前記ノック部材を前方に押圧操作するときのみ、前記可動係合片の押圧操作部を径方向内方に押圧することにより、前記可動係合片の係合部と前記ノック部材の外面の被係合部との係合が解除されることを特徴とする熱変色性筆記具。
【請求項２】
前記弾発付与部が、軸筒外面に接触する一対の弾発脚片からなる請求項１記載の熱変色性筆記具。
【発明の詳細な説明】
【技術分野】
【０００１】
本発明は、熱変色性筆記具に関する。
【背景技術】
【０００２】
従来、例えば、特許文献１には、筆記体の内部に熱変色性インキを収容し、前記筆記体の前端に前記熱変色性インキが吐出可能なペン先を設け、前記筆記体を軸筒内に前後方向に移動可能に収容し、前記軸筒の後端部にノック体を設け、前記ノック体を前方に押圧することにより前記ペン先を前記軸筒の前端孔から突出状態にし、再度、前記ノック体を前方に押圧することにより前記ペン先突出状態を解除し前記ペン先を前記軸筒の前端孔より前記軸筒内に没入状態にする出没機構を備え、前記ノック体の後端部外面に、前記熱変色性インキの筆跡を摩擦しその際に生じる摩擦熱で前記熱変色性インキの筆跡を熱変色可能な摩擦部を設けた熱変色性筆記具であって、前記軸筒の後部側壁にロックレバーを径方向に移動可動に設け、前記ロックレバーを前記軸筒の側壁の径方向の一端から他端に貫通させ、前記ロックレバーの一端を径方向内方に押し下げると前記ロックレバーの他端が径方向外方に突出するよう構成し、前記ロックレバーの一端を径方向内方に押し下げた状態において、前記ロックレバーと前記ノック体とが係合し前記ノック体の前後方向の移動が阻止され、一方、前記ロックレバーの他端を径方向内方に押し下げた状態において、前記ロックレバーと前記ノック体との係合が解除され前記ノック体の前後方向の移動が可能となるよう構成した熱変色性筆記具が開示されている。  
【先行技術文献】
【特許文献】
【０００３】
【特許文献１】特開２０１２−２３２４９０号公報
【発明の概要】
【発明が解決しようとする課題】
【０００４】
前記特許文献１の熱変色性筆記具は、筆記状態から摩擦部を用いて摩擦操作する際、ロックレバーを押し下げ操作して、ノック体とロックレバーとを係合させ、ノック体の前後方向の移動が阻止された状態にする必要がある。そのため、筆記使用状態から迅速に摩擦操作を開始できない。
【０００５】
また、前記特許文献１の熱変色性筆記具は、摩擦操作後にペン先出没操作を行う際、逆方向にロックレバーを押し下げ操作して、ノック体とロックレバーとを係合を解除させる必要がある。そのため、摩擦操作後に迅速にペン先出没操作を開始できない。
【０００６】
本発明は、前記従来の問題点を解決するものであって、筆記状態から摩擦体を用いた安定した摩擦操作を迅速に開始でき、且つ、摩擦操作後にペン先出没操作を迅速に開始できる熱変色性筆記具を提供しようとするのである。
【０００７】
尚、本発明において、「前」とはペン体側を指し、「後」とはその反対側を指す。本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００８】
本願の第１の発明に係る熱変色性筆記具は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端部にノック部材６を設け、前記ノック部材６を前方に押圧することによりペン先３１を軸筒２の前端孔２１から突出状態にし、再度、前記ノック部材６を前方に押圧することにより前記ペン先突出状態を解除しペン先３１を軸筒２の前端孔２１より軸筒２内に没入状態にする出没機構を備え、前記ノック部材６の後端部外面に、前記熱変色性インキの筆跡を摩擦しその際に生じる摩擦熱で前記熱変色性インキの筆跡を熱変色可能な摩擦部８を設けた熱変色性筆記具であって、前記軸筒２の後端部外面に可動係合片７が枢支され、前記可動係合片７の一端部に、前記ノック部材６の外面の被係合部６３・６４に係合可能な係合部７１が形成され、前記可動係合片７の他端部に、可動係合片７を径方向外方に付勢する弾発付与部７２が設けられるとともに、前記可動係合片７を径方向内方に押圧操作する押圧操作部７３が設けられ、前記弾発付与部７２により前記可動係合片７の係合部７１が径方向内方に付勢され、前記ノック部材６を前方に押圧操作するとき以外は、前記可動係合片７の係合部７１と前記ノック部材６の外面の被係合部６３・６４とが係合され、前記ノック部材６の前後方向の移動が阻止され、前記ノック部材６を前方に押圧操作するときのみ、前記可動係合片７の押圧操作部７３を径方向内方に押圧することにより、前記可動係合片７の係合部７１と前記ノック部材６の外面の被係合部６３・６４との係合が解除されることを要件とする。
【０００９】
前記第１の発明に係る熱変色性筆記具は、前記構成により、筆記状態から摩擦体を用いた安定した摩擦操作を迅速に開始でき、且つ、摩擦操作後にペン先出没操作を迅速に開始できる。
【００１０】
本願の第２の発明に係る熱変色性筆記具１は、前記第１の発明に係る熱変色性筆記具１において、前記弾発付与部７２が、軸筒２外面に接触する一対の弾発脚片からなることを要件とする。
【００１１】
前記第２の発明に係る熱変色性筆記具１は、前記構成により、簡易な構造により弾性付与部７２を得ることができる。
【発明の効果】
【００１２】
本発明の熱変色性筆記具は、筆記状態から摩擦体を用いた安定した摩擦操作を迅速に開始でき、且つ、摩擦操作後にペン先出没操作を迅速に開始できる。
【図面の簡単な説明】
【００１３】
【図１】本発明の実施の形態のペン先没入状態を示す一部縦断面図である。
【図２】図１の要部拡大縦断面図である。
【図３】図１のペン先突出状態を示す一部縦断面図である。
【図４】図３の要部拡大縦断面図である。
【図５】図１の出没機構を示す分解図である。
【図６】図１の要部拡大斜視図である。
【発明を実施するための形態】
【００１４】
本発明の筆記具の実施の形態を図面に従って説明する。（図１乃至図６参照）
本実施の形態の熱変色性筆記具１は、軸筒２と、該軸筒２内に収容される筆記体３と、該筆記体３のペン先３１を軸筒２の前端孔２１より出没自在にさせる出没機構とを備える。前記軸筒２は、円筒状の前軸２ａと、該前軸２ａの後端に連結される円筒状の後軸２ｂとからなる。
【００１５】
・前軸
前記前軸２ａは、先細円筒状の合成樹脂の成形体である。前記前軸２ａの前端には前端孔２１が前後方向に貫設される。前記前軸２ａの後端開口部外面には、オネジ部が一体に形成される。
【００１６】
・後軸
前記後軸２ｂは、円筒状の合成樹脂の成形体である。前記後軸２ｂの後端には、後端孔２２が前後方向に貫設される。前記後軸２ｂの後端部内面には段部２３が一体に形成される。前記後軸２ｂの後端孔２２より前方の内面には、カム部４が一体に形成される。前記後軸２ｂの外面には、軸筒２外面とポケット等を挟持可能なクリップ２４が設けられる。前記クリップ２４は、後軸２ｂの外面に一体に形成されるか、または別部材の取り付けにより設けられる。前記後軸２ｂの前端開口部内面には、メネジ部が一体に形成される。前記メネジ部と前軸２ａのオネジ部とが螺合可能である。
【００１７】
・筆記体
前記筆記体３は、ペン先３１と、該ペン先３１が前端開口部に圧入固着されたインキ収容管３２と、該インキ収容管３２内に充填される熱変色性インキと、該熱変色性インキの後端に充填され且つ該熱変色性インキの消費に伴い前進する追従体（例えば高粘度流体）とからなる。
【００１８】
・熱変色性インキ
前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１９】
・ペン先
前記ペン先３１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓を取り付けてもよい。
【００２０】
・出没機構
前記出没機構は、回転カム機構を用いたノック式出没機構であり、軸筒２内面（後軸２ｂ内面）に形成されたカム部４と、カム部４と係合し且つ筆記体３の後端と当接する回転部材５と、回転部材５及びカム部４と係合するノック部材６と、軸筒２内に収容され且つ筆記体３を後方に付勢する弾発体（例えば圧縮コイルスプリング・図示せず）とからなる。本実施の形態の出没機構は、ペン先突出操作及びペン先没入操作のいずれもがノック部材６を前方に押圧する操作のダブルノック式である。
【００２１】
前記カム部４は、前方に突出する鋸歯状の複数のカム歯４１と、該カム歯４１間に形成され、回転部材５が係合するカム溝４２とを備える。回転部材５は、その外面に長手方向に延びる３本の突条５１を備え、該突条５１が、カム部４のカム溝４２と係合される。ノック部材６は、その前端部に、カム部４のカム溝４２内を摺動するガイド突条６１と、回転部材５の突条５１の後端と係合するカム歯６２とを備える。
【００２２】
・ノック部材
ノック部材６は、前端が開口され且つ後端が閉鎖された有底筒状に形成され、合成樹脂の成形体により得られる。
【００２３】
ノック部材６の前端部は、軸筒２の後端孔２２に挿通され且つ回転部材５に係合される。ノック部材６の前端には、回転部材５と係合可能なカム歯６２が一体に形成される。ノック部材６の前端部外面には、カム部４のカム溝４２内を摺動する複数のガイド突条６１が一体に形成される。ペン先没入状態において、ガイド突条６１が後軸２ｂの段部２３に係止され、それにより、ノック部材６の後端孔２２からの脱落が防止される。
【００２４】
ノック部材６の側壁外面には、被係合部６３・６４が形成される。被係合部６３・６４は、可動係合片７の係合部７１と係合可能である。被係合部６３・６４は、前後に離れた２か所に形成される。
ペン先没入状態において、可動係合片７の係合部７１が前側の被係合部６３に係合される。
ペン先突出状態において、可動係合片７の係合部７１が後側の被係合部６４に係合される。
係合部７１と被係合部６３・６４が係合された状態において、ノック部材６の前後方向の移動が阻止され、摩擦部８を用いた安定した摩擦操作が可能となる。
被係合部６３・６４の形状は、例えば、凹部または貫通孔により形成されるが、係合部７１と係合され、ノック部材６の前後方向の移動が阻止されるものであれば、その形状は何れであってもよい。
【００２５】
ノック部材６の後端部外面は、前記熱変色性インキの筆跡を摩擦しその際に生じる摩擦熱で前記熱変色性インキの筆跡を熱変色可能な摩擦部８が固着される。摩擦部８は、弾性材料から形成される。前記弾性材料は、例えば、シリコーン樹脂、ＳＢＳ樹脂、ＳＥＢＳ樹脂等が挙げられる。
【００２６】
・可動係合片
軸筒２の後端部側壁外面（後軸２ｂの後端部側壁外面）には、可動係合片７が枢支される。可動係合片７は、軸方向前方に延びる且つ径方向内方に延びる屈曲状板片からなる。
可動係合片７は、金属または合成樹脂から得られる。可動係合片７は、枢支部７４により軸筒２後端部側壁に枢支される。可動係合片７が、枢支部７４より前方に延設されるとともに、径方向内方に延設される。
【００２７】
・係合部
可動係合片７の径方向内方に延設された側の端部には、被係合部６３・６４と係合可能な係合部７１が形成される。前記係合部７１は、例えば、凸部により形成されるが、これ以外にも、被係合部６３・６４と係合され、ノック部材６の前後方向の移動が阻止されるものであれば、その形状は何れであってもよい。
【００２８】
・弾性付与部
可動係合片７の前方に延設された側の端部には、弾性付与部７２が形成される。弾性付与部は、可動係合片７の前方に延設された側の端部の内面に形成される。弾性付与部７２は、例えば、軸筒２の外面に接触する一対の弾性脚片からなる。一対の弾性脚片は、合成樹脂または金属から得られる。弾性付与部７２（一対の弾性脚片）は、軸筒２内面の傾斜面または凸曲面に接触され、常時、可動係合片７が径方向外方に付勢される。可動係合片７が枢支部７４により枢支されるため、弾性付与部７２により、可動係合片７の係合部７１が径方向外方に付勢される。弾性付与部７２は、可動係合片７に別部材の取り付けにより設けられる。これ以外にも、可動係合片７と一体に形成することも可能である。
【００２９】
・押圧操作部
可動係合片７の外面には、可動係合片７を弾性付与部７２の付勢に抗して押圧操作する押圧操作部７３が設けられる。押圧操作部７３は、可動係合片７に別部材の取り付けにより設けられる。これ以外にも、弾性付与部７２または可動係合片７と一体に形成することが可能である。また、弾性付与部７２は、可動係合片７を径方向外方に付勢するものであれば、何れであってもよく、例えば、コイル状であってもよい。
【００３０】
・ペン先の出没
ペン先没入状態からノック部材６を弾発体による後方付勢に抗して前方に押圧操作するとき、親指でノック部材６を押圧操作すると同時に、他の指で可動係合片７の押圧操作部７３を径方向内方に押圧操作する。それにより、可動係合片７の係合部７１とノック部材６の被係合部６３との係合状態が解除され、ノック部材６の前後方向の移動が可能となると同時に、ノック部材６が前方に移動される。
【００３１】
同様に、ペン先突出状態からノック部材６を弾発体による後方付勢に抗して前方に押圧操するとき、親指でノック部材６を押圧操作するとともに、他の指で可動係合片７の押圧操作部７３を径方向内方に押圧操作する。それにより、可動係合片７の係合部７１とノック部材６の被係合部６４との係合状態が解除され、ノック部材６の前後方向の移動が可能となると同時に、ノック部材６が前方に移動される。
【００３２】
ペン先没入状態からノック部材６を前方に押圧操作すると、ノック部材６の前端が回転部材５を前方に押圧し、前記回転部材５の突条５１がカム溝４２に沿って前方に移動する。前記回転部材５が前方に移動することに伴って、前記回転部材５が筆記体３の後端を前方に押圧し、ペン先３１が前端孔２１より外部に突出される。このとき、前記ノック部材６のカム歯６２と前記回転部材５の突条５１との当接によって回転部材５がカム部４に対して一定角度だけ回転する。それにより、前記回転部材５の突条５１がカム部４のカム歯４１に係合され、ペン先突出状態が維持される。
【００３３】
ペン先突出状態からノック部材６を前方に押圧操作すると、ノック部材６の前端が回転部材５を前方に押圧し、前記ノック部材６のカム歯６２と前記回転部材５の突条５１との当接によって回転部材５がカム部４に対して一定角度だけ回転する。それによって、前記突条５１とカム部４のカム歯４１との係合状態が解除され、弾発体による後方付勢により、前記突条５１がカム部４のカム溝４２に沿って後方に移動する。前記回転部材５が後方に移動することに伴って、筆記体３が後方に移動し、ペン先没入状態となる。前記ガイド突条６１はカム部４の後方の段部２３に係止し、ペン先没入状態が維持される。
【００３４】
本実施の形態の熱変色性筆記具１は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端部にノック部材６を設け、前記ノック部材６を前方に押圧することによりペン先３１を軸筒２の前端孔２１から突出状態にし、再度、前記ノック部材６を前方に押圧することにより前記ペン先突出状態を解除しペン先３１を軸筒２の前端孔２１より軸筒２内に没入状態にする出没機構を備え、前記ノック部材６の後端部外面に、前記熱変色性インキの筆跡を摩擦しその際に生じる摩擦熱で前記熱変色性インキの筆跡を熱変色可能な摩擦部８を設けた熱変色性筆記具であって、前記軸筒２の後端部外面に可動係合片７が枢支され、前記可動係合片７の一端部に、前記ノック部材６の外面の被係合部６３・６４に係合可能な係合部７１が形成され、前記可動係合片７の他端部に、可動係合片７を径方向外方に付勢する弾発付与部７２が設けられるとともに、前記可動係合片７を径方向内方に押圧操作する押圧操作部７３が設けられ、前記弾発付与部７２により前記可動係合片７の係合部７１が径方向内方に付勢され、前記ノック部材６を前方に押圧操作するとき以外は、前記可動係合片７の係合部７１と前記ノック部材６の外面の被係合部６３・６４とが係合され、前記ノック部材６の前後方向の移動が阻止され、前記ノック部材６を前方に押圧操作するときのみ、前記可動係合片７の押圧操作部７３を径方向内方に押圧することにより、前記可動係合片７の係合部７１と前記ノック部材６の外面の被係合部６３・６４との係合が解除される。
【００３５】
本実施の形態の熱変色性筆記具１は、前記構成により、筆記状態から摩擦体を用いた安定した摩擦操作を迅速に開始でき、且つ、摩擦操作後にペン先出没操作を迅速に開始できる。
【００３６】
本実施の形態の熱変色性筆記具１は、前記弾発付与部７２が、軸筒２外面に接触する一対の弾発脚片からなる。それにより、簡易な構造により弾性付与部７２を得ることができる。
【符号の説明】
【００３７】
１  熱変色性筆記具
２  軸筒
２１  前端孔
２２  後端孔
２３  段部
２４  クリップ
２ａ  前軸
２ｂ  後軸
３  筆記体
３１  ペン先
３２  インキ収容管
４  カム部
４１  カム歯
４２  カム溝
５  回転部材
５１  突条
６  ノック部材
６１  ガイド突条
６２  カム歯
６３  被係合部（前側の被係合部）
６４  被係合部（後側の被係合部）
７  可動係合片
７１  係合部
７２  弾発付与部
７３  押圧操作部
７４  枢支部
８  摩擦部
【図１】
2018108668.tif 000003
【図２】
2018108668.tif 000004
【図３】
2018108668.tif 000005
【図４】
2018108668.tif 000006
【図５】
2018108668.tif 000007
【図６】
2018108668.tif 000008